(57)【要約】      （修正有）【課題】注射器のあらゆる再使用を防止する保護構造として作用する、注射が完了して、引き出された後、外力によって注射針を損傷することなく、注射針を引き出すことができないようにした、注射器保護構造を提供する。【解決手段】ラッチ・エッジが、バレル・ベースを固定するようにベース・ラッチによってラッチされ、中継ベースが、バレル室の開口に近接して配置され、液体薬剤注射シリンダの液体薬剤注射管が、後ベース・ピラー・ホールの中に埋め込まれ、針ベースが、液体薬剤通路を画定するように前ピラー・ベースに結合され、注射が完了して、引き出された後、中継ベースが、ベース・リムをフックより下に降下させるように、針ベースと共に引かれ、ベース・ステアが、フックによって固定位置にラッチされること。【選択図】図１
0003109777.tif 000002
【実用新案登録請求の範囲】
【請求項１】
バレル・ベースの外径より小さい外径を有し、前記バレル・ベースに結合されるシリンダと、バレル室より小さいサイズを有し、かつ前記バレルの前端部からバレル・エッジまで延びる開口と、前記バレル・ベースの内部の端部から内向きに突出する複数のベース・ラッチとを有するバレルと、
ベース管より小さい外径を有し、かつより大きい外径およびより薄い厚さを有する管リムまで一体的に延びる中継ベースであって、前ベース・ピラーおよび後ベース・ピラーが中心に配置され、かつ前ベース・ピラー・ホールおよび後ベース・ピラー・ホールをそれぞれ有し、ベース・ステアが前記ベース管と前記ベース・リムとの間に形成される中継ベースと、
湾曲され、かつ上部から突出している複数のフックと、底部に配置され、かつブラケット・ベースの高さに対応してベース・エッジからある距離を有するラッチ・エッジとを有する、前記バレル・ベースのベース・リングに対応するサイズを有するブラケット・ベースとを備え、
それにより、前記ラッチ・エッジが、前記バレル・ベースを固定するように前記ベース・ラッチによってラッチされ、前記中継ベースが、バレル室の前記開口に近接して配置され、それにより、液体薬剤注射シリンダの液体薬剤注射管が、前記後ベース・ピラー・ホールの中に埋め込まれ、針ベースが、液体薬剤通路を画定するように前記前ピラー・ベースに結合され、注射が完了して、引き出された後、前記中継ベースが、前記ベース・リムを前記フックより下に降下させるように、前記針ベースと共に引かれ、前記ベース・ステアが、前記フックによって固定位置にラッチされることを特徴とする注射器保護構造。
【請求項２】
前記ベース・ラッチが、凹形湾曲上面を有することを特徴とする請求項１に記載の注射器保護構造。
【請求項３】
前記開口が、前記開口の内壁の上に配置されるバレル・リブと、前記中継ベースの前記ベース管の外壁の上に配置される対応するベース・リブとを備えることを特徴とする請求項１に記載の注射器保護構造。
【請求項４】
前記ベース管が、内部にねじ山を有することを特徴とする請求項１に記載の注射器保護構造。
【請求項５】
前記ベース・リムが、複数のリム・ブラケットを画定するように、複数のギャップを備えることを特徴とする請求項１に記載の注射器保護構造。
【請求項６】
前記フックが、凹形湾曲上面を有することを特徴とする請求項１に記載の注射器保護構造。
【請求項７】
前記前ベース・ピラーおよび前記後ベース・ピラーが、外軸方向に沿って斜めに先細りになり、前記前ベース・ピラー・ホールおよび前記後ベース・ピラー・ホールが、内側に向かって斜めに先細りになることを特徴とする請求項１に記載の注射器保護構造。
【請求項８】
前記シリンダと前記バレル・ベースとが、通過する接続ホールを有する複数の接続ブラケットによって結合されることを特徴とする請求項１に記載の注射器保護構造。
【請求項９】
少なくとも２つのスロットを前記ベース管の反対部分において提供することができることを特徴とする請求項１に記載の注射器保護構造。
【考案の詳細な説明】
【技術分野】
【０００１】
本考案は、注射器の保護構造に関し、より具体的には、注射器のあらゆる再使用を防止する保護構造として作用する、注射が完了して、引き出された後、外力によって注射針を損傷することなく、注射針を引き出すことができないように、注射針と液体薬剤注射シリンダとの間に装備される中継構造に関する。
【背景技術】
【０００２】
病気は人間にとって不可避であり、誕生、加齢、病気、および死の法則が、すべての生物の生命のサイクルを支配する。当然、衛生条件が改善され、かつ医薬品が進化しているので、適切な治療によって多くの病気を治療することができ、注射による投薬は、治療の一般的な不可避の部分である。
【０００３】
一方、医療プロセスの安全保護は、軽く扱われるべきではない。具体的には、多くの危険性の高い病気の原因は、血液感染に由来する。したがって、医療従事者は、注射による投薬について非常に慎重でなければならず、注射針によって貫通される事故などの誤りがある場合、医療従事者は、未知の治療が困難な病気（ＡＩＤＳなど）に感染する可能性がある。したがって、廃棄可能な注射針または装置が、近年は一般的であり、医療従事者がこの種の針を必要とするだけでなく、患者も同じ必要性を有する。廃棄可能な針の保護構造は、製造業者によって開発され、販売されている。
【０００４】
注射器保護構造に関する多くの特許技術が存在する。たとえば、米国特許第５３３８３１０号、名称「Ｎｅｅｄｌｅ  ｄｅｖｉｃｅ  ｈａｖｉｎｇ  ｓａｆｅｔｙ  ｉｎｄｉｃａｔｉｏｎ  ｆｅａｔｕｒｅｓ」に記載された注射器保護構造であり、これは、バレル２と、バレル２１内に納められる針ガード３２と、針ガードの内壁の上に配置された凹みと、バレル内に納められるカラー３３と、注射が完了して、引き出された後、凹み３７の中にラッチされるためにカラー３３に対応して配置される突出部とを備える。すなわち、バレルと針ガードとが接合動作するので、注射針は含まれず、中継装置が装備される。したがって、本考案の考案者は、多様化した産物についていくつかの他の解決法が存在するはずであると考える。
【特許文献１】米国特許第５３３８３１０号
【考案の開示】
【考案が解決しようとする課題】
【０００５】
上記を考慮して、本考案の考案者は、関係する産業に関する長年の経験に基づいて、広範な研究および実験を実施し、最終的に、本考案は、従来の構造より性能を向上させた注射器保護構造を提供とすることを目的とする。
【課題を解決するための手段】
【０００６】
本考案の注射器保護構造は、バレル・ベースの外径より小さい外径を備えるバレル・ベースを有するバレルと、バレル室より小さいサイズを有し、かつバレルの前端部からバレル・エッジまで延びる開口と、バレル・ベースの内部の端部から内向きに突出する複数のベース・ラッチとを有するバレルと、ベース管より小さい外径を有し、かつより大きい外径およびより薄い厚さを有する管リムまで一体的に延びる中継ベースであって、前ベース・ピラーおよび後ベース・ピラーが中心に配置され、かつ前ベース・ピラー・ホールおよび後ベース・ピラー・ホールをそれぞれ有し、ベース・ステアがベース管とベース・リムとの間に形成される中継ベースと、湾曲され、かつ上部から突出する複数のフックと、底部に配置され、かつブラケット・ベースの高さに対応してベース・エッジからある距離を有するラッチ・エッジとを有する、バレル・ベースのベース・リングに対応するサイズを有するブラケット・ベースと備え、それにより、ラッチ・エッジが、バレル・ベースを固定するようにベース・ラッチによってラッチされ、中継ベースが、バレル室の開口に近接して配置され、それにより、液体薬剤注射シリンダの液体薬剤注射管が、後ベース・ピラー・ホールの中に埋め込まれ、針ベースが、液体薬剤通路を画定するように、前ピラー・ベースに結合される注射器保護構造を提供することである。注射が完了して、引き出された後、中継ベースは、針ベースと共に引かれる。したがって、ベース・リムは、フックの下に降下し、ベース・ステアは、フックによって固定位置にラッチされる。
又、前記ベース・ラッチが、凹形湾曲上面を有することが好適である。
又、前記開口が、前記開口の内壁の上に配置されるバレル・リブと、前記中継ベースの前記ベース管の外壁の上に配置される対応するベース・リブとを備えることが好適である。
又、前記ベース管が、内部にねじ山を有することが好適である。
又、前記ベース・リムが、複数のリム・ブラケットを画定するように、複数のギャップを備えることが好適である。
又、前記フックが、凹形湾曲上面を有することが好適である。
又、前記前ベース・ピラーおよび前記後ベース・ピラーが、外軸方向に沿って斜めに先細りになり、前記前ベース・ピラー・ホールおよび前記後ベース・ピラー・ホールが、内側に向かって斜めに先細りになることが好適である。
又、前記シリンダと前記バレル・ベースとが、通過する接続ホールを有する複数の接続ブラケットによって結合されることが好適である。
又、少なくとも２つのスロットを前記ベース管の反対部分において提供することができることが好適である。
【考案を実施するための最良の形態】
【０００７】
審査官が本考案の目的、構造、刷新的な特徴、および性能を理解することをより容易にするために、本考案の詳細な記述のための好ましい実施形態、ならびに添付の図面を使用する。
【０００８】
本考案の技術的な内容をさらに開示するために、図を参照されたい。図１は、本考案のバレルを含む注射器保護構造の分解図であり、図２は、図１のいくつかの部分の拡大図であり、図３は、他の角度において取られた図１のいくつかの部分の他の拡大図であり、図４は、本考案による組み立てられた注射器構造の断面図であり、図５は、本考案によるバレルを含む注射器構造の断面図であり、図６は、本考案による液体薬剤を包含する注射器構造の断面図であり、図７は、本考案による、注射が完了した後、固定位置に引き出された注射針を有する注射器構造の断面図であり、図８は、本考案による、注射が完了した後、バレルが取り外されている注射器構造の断面図である。
【０００９】
図を参照されたい。バレル１が、バレル１より小さい外径を有するシリンダ１１を有し、シリンダ１１の底部は、バレル１より大きい外径を有するバレル・ベース１２に結合され、シリンダ１１は、各２つの隣接する接続プレート１３の間の接続ホール１４によってスルー・ホールを画定するために、周上に配置された複数の接続プレート１３によってバレル１に結合される。
【００１０】
内部のバレル室１６の直径より小さい直径を有する開口１７（図４に示す）が、シリンダ１１の前端部に配置されて、バレル・エッジ１５の中心まで一体的に延び、複数の湾曲突出ベース・ラッチ１８（図２に示す）が、バレル・ベース１２の内部の端部において内向きに配置される。しかし、これらの構成要素は従来の技術であり、したがって本明細書では記述されない。さらに、複数の平行バレル・リブ１９が、開口１７の内壁の上に配置され、中継ベース２のガイド・トラックとして作用する。
【００１１】
中継ベース２は、より小さい外径を有するベース管２１と、良好な柔軟性を有してより大きい外径ならびにより薄い厚さを有する一体的に延びるベース・リム２２とを備え、前ベース・ピラー２３および後ベース・ピラー２４の両方が、中央に配置される。ベース管２１の内部は、ねじ山を有し、ベース管２１の内壁は、複数のベース・リブ２６によって囲まれ、より小さい直径を有する外向きに延びる断面が、前ベース・ピラー２３および後ベース・ピラー２４の両方の上において画定され、また、それぞれは、同じ軸方向において位置合わせされ、かつ内向きに先細りになる前ベース・ピラー・ホール・２７および後ベース・ピラー・ホール２８を有する。ベース・ステア２９の降下が、ベース管２１とベース・リム２２との間において画定されることが好ましい。実際の実施では、ベース・リム２２は、間にギャップを有する複数のリム・ブラケットとすることができ、本考案の好ましい実施形態において開示されるものと必ずしも同じである必要はない。しかし、この構成要素は従来の技術であり、したがって、本明細書では記述されない。
【００１２】
ブラケット・ベース３は、上述したバレル・ベース１２のベース・リング３１に対応するサイズを有し、かつ上面上の複数の曲線状に湾曲したフック３２と、ベース・リング３１に近接して底部に配置されたわずかにより大きい外径を有するラッチ・エッジ３３と、各２つの隣接するフック３２の間に配置されたより低い高さを有するラッチ・リング３４とを有するベース本体であり、インデンション３５が、両側面の上に配置され、ラッチ・エッジ３３とベース・リング３１との距離は、納められた後のラッチのベース・ラッチ１８の高さに対応する。
【００１３】
本考案の注射器保護構造を組み立てた図を参照されたい。ブラケット・ベース３は、バレル・ベース１２に結合され、ラッチ・エッジ３３は、固定接続されるように、バレル・ベース１２のベース・ラッチ１８の中に入る。一方、中継ベース２は、バレル室１６の前に、開口１７に近接して配置され、ベース・リブ２６およびバレル・リブ１９によって固定される。針ベースＡが、注射針と共に、ベース・ホールによってベース・ピラー２７に結合され、ベースねじ山２５およびねじによって固定方向において固定位置に取り付けられる。組み立てられた構造を図４に示す。注射針によって意図せずに貫通される事故を防ぐために、針ベースＡを鞘Ｂに納めることができる。しかし、鞘Ｂは従来の技術であり、したがって本明細書では記述されない。
【００１４】
図を参照されたい。本考案の注射器保護構造が注射に使用される場合、液体薬剤シリンダＣが、バレル１に埋め込まれ、閉鎖接続を構成するために、前端部に配置された液体薬剤管Ｄをベース管２１のベース・ピラー・ホール２７の中に埋め込むことができ、押しロッドＥも、図５に示すように、液体薬剤シリンダＣの中に埋め込むことができる。
【００１５】
図６では、押しロッドＥは、注射のために液体薬剤を引き出すように、外向きに引かれる。次いで、液体注射シリンダＣは、中継ベース２と閉鎖式に接続される。押しロッドＥを押すことによって、液体薬剤は、液体薬剤シリンダＣの液体薬剤管Ｄから注射針に放出される。
【００１６】
図７を参照されたい。注射が完了して、引き出される場合、液体薬剤シリンダＣは、中継ベースと共に後方に引かれ、中継ベース２は、相応して針ベースＡと共に後方に引かれる。液体薬剤シリンダＣおよび中継ベース２が、図８に示すように底部まで完全に引かれるとき、ベース・リム２２が、ベース・ステア２９と共に、フック３２とラッチ・リング３４との間に降下する。中継ベース２は、外力によって損傷されない限り、針ベースＡと共に、常時バレルＡにおいて固着される。そのような構成は、あらゆる再使用または危険に暴露されることを防止することができる。
【００１７】
図９を参照されたい。前記ベース管２１とは反対の位置において、２つのスロット２１１がさらに提供され、同じ効果を達成することができる。
【００１８】
本考案について、例として、かつ好ましい実施形態の観点で記述してきたが、本考案はそのように限定されるものではないことを理解されたい。反対に、様々な修正および同様の構成ならびに手続きを網羅することを意図しており、したがって、添付の請求項の範囲は、すべてのそのような修正および同様の構成ならびに手続きを包含するように、最も広範な解釈に対応するはずである。
【００１９】
上記をまとめると、本考案は、従来の構造より性能を向上させ、さらに、特許出願要件に準拠し、相応の特許権の調査および承認のために、特許および商標庁に提出される。
【図面の簡単な説明】
【００２０】
【図１】本考案のバレルを含む注射器保護構造の分解図である。
【図２】図１のいくつかの部分の拡大図である。
【図３】他の角度において取られた図１のいくつかの部分の他の拡大図である。
【図４】本考案による組み立てられた注射器構造の断面図である。
【図５】本考案によるバレルを含む注射器構造の断面図である。
【図６】本考案による液体薬剤を包含する注射器構造の断面図である。
【図７】本考案による、注射が完了した後に固定位置に引き出された注射針を有する注射器の断面図である。
【図８】本考案による、注射が完了した後にバレルが取り外されている注射器構造の断面図である。
【図９】スロットを提供するベース管を示す拡大図である。
【符号の説明】
【００２１】
１  バレル
３  ブラケット・ベース
１１  シリンダ
１２  バレル・ベース
１３  複数の接続プレート
１４  接続ホール
１５  バレル・エッジ
１６  バレル室
１７  開口
１８  ベース・ラッチ
２１  ベース管
２２  ベース・リム
２３  前ベース・ピラー
２４  後ベース・ピラー
２５  ベースねじ山
２６  ベース・リブ
２７  前ベース・ピラー・ホール
２８  後ベース・ピラー・ホール
２９  ベース・ステア
３１  ベース・リング
３２  フック
３３  ラッチ・エッジ
３４  ラッチ・リング
３５  インデンション
２１１  スロット
Ａ  針ベース
Ｂ  鞘
Ｃ  液体薬剤シリンダ
Ｄ  液体薬剤管
Ｅ  押しロッド
【図１】
0003109777.tif 000003
【図２】
0003109777.tif 000004
【図３】
0003109777.tif 000005
【図４】
0003109777.tif 000006
【図５】
0003109777.tif 000007
【図６】
0003109777.tif 000008
【図７】
0003109777.tif 000009
【図８】
0003109777.tif 000010
【図９】
0003109777.tif 000011